(57)【特許請求の範囲】
【請求項１】
表示手段と、
前記表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御手段と、
前記表示制御手段により前記表示手段に表示されたソフトテンキーにおけるキーが押下されたときは、該押下されたキーに応じた値を前記数値設定項目に入力する入力手段と、
を備え、
前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、
前記表示切替キーが押下されたときには、前記表示制御手段は、表示中の一方のソフトテンキーから他方のソフトテンキーへ表示を切り替え、
前記入力手段は、表示切り替え後のソフトテンキーにおけるキーが押下されたときは、該押下されたキーに応じた値を前記数値設定項目に入力することを特徴とする画像処理装置。
【請求項２】
前記表示制御手段は、前記第１のソフトテンキーから前記第２のソフトテンキーへ表示を切り替えるときは、前記第１のソフトテンキーの基準位置に、前記第２のソフトテンキーの基準位置が一致するように、前記第２のソフトテンキーを表示する請求項１に記載の画像処理装置。
【請求項３】
表示手段と、
前記表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御手段と、
前記表示制御手段により前記表示手段に表示されたソフトテンキーにおけるキーが押下されたときは、該押下されたキーに応じた値を前記数値設定項目に入力する入力手段と、
を備え、
前記表示切替キーが押下されたときには、前記表示制御手段は、表示中の一方のソフトテンキーに加えて他方のソフトテンキーも同一の画面に表示させ、
前記入力手段は、画面に表示されたいずれのソフトテンキーであっても、キーが押下されたときは該押下されたキーに応じた値を前記数値設定項目に入力することを特徴とする画像処理装置。
【請求項４】
前記第１のソフトテンキーよりも前記第２のソフトテンキーの方が、各キーの大きさが大きく設定されており、前記数値入力画面が表示されたときは前記第１のソフトテンキーが最初に表示される設定となっている請求項３に記載の画像処理装置。
【請求項５】
自装置のモードを管理者のみが操作可能な管理者モードに移行させる管理者モード移行手段を備え、
前記管理者モード移行手段により管理者モードに移行しているときに、前記表示制御手段は前記表示切替キーを前記表示手段に表示させる請求項１〜４のいずれかに記載の画像処理装置。
【請求項６】
前記ソフトテンキーによる入力が可能な前記数値入力画面の数値設定項目の数が所定数よりも多い場合に、前記表示制御手段は前記表示切替キーを前記表示手段に表示させる請求項１〜５のいずれかに記載の画像処理装置。
【請求項７】
表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を備え、
前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、
前記表示切替キーが押下されたときには、前記表示制御ステップでは、表示中の一方のソフトテンキーから他方のソフトテンキーへ表示を切り替え、
前記入力ステップでは、表示切り替え後のソフトテンキーにおけるキーが押下されたときは、該押下されたキーに応じた値を前記数値設定項目に入力することを特徴とする画像処理装置におけるソフトテンキーの表示制御方法。
【請求項８】
表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を備え、
前記表示切替キーが押下されたときには、前記表示制御ステップでは、表示中の一方のソフトテンキーに加えて他方のソフトテンキーも同一の画面に表示させ、
前記入力ステップでは、画面に表示されたいずれのソフトテンキーであっても、キーが押下されたときは該押下されたキーに応じた値を前記数値設定項目に入力することを特徴とする画像処理装置におけるソフトテンキーの表示制御方法。
【請求項９】
表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を画像処理装置のコンピュータに実行させ、
前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、
前記表示切替キーが押下されたときには、前記表示制御ステップでは、表示中の一方のソフトテンキーから他方のソフトテンキーへ表示を切り替え、
前記入力ステップでは、表示切り替え後のソフトテンキーにおけるキーが押下されたときは、該押下されたキーに応じた値を前記数値設定項目に入力する処理を前記コンピュータに実行させるためのソフトテンキーの表示制御プログラム。
【請求項１０】
表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御ステップと、
前記表示制御ステップにより前記表示手段に表示されたソフトテンキーにおけるキーが押下されたときは、該押下されたキーに応じた値を前記数値設定項目に入力する入力ステップと、
を画像処理装置のコンピュータに実行させ、
前記表示切替キーが押下されたときには、前記表示制御ステップでは、表示中の一方のソフトテンキーに加えて他方のソフトテンキーも同一の画面に表示させ、
前記入力ステップでは、画面に表示されたいずれのソフトテンキーであっても、キーが押下されたときは該押下されたキーに応じた値を前記数値設定項目に入力する処理を前記コンピュータに実行させるためのソフトテンキーの表示制御プログラム。
【発明の詳細な説明】
【技術分野】
【０００１】
この発明は、例えば、コピー機能、プリンタ機能、ファクシミリ機能、スキャン機能等の複数の機能を有する多機能デジタル画像形成装置であるＭＦＰ（Multi Function Peripheral）等の画像処理装置、同装置におけるソフトテンキーの表示制御方法及び表示制御プログラムに関する。
【背景技術】
【０００２】
上記のような画像処理装置として、従来より、ユーザーが画像処理装置の設定等を行うために表示部に数値設定項目を有する数値入力画面を表示させ、数値設定項目の入力欄に数値を入力するときに、ソフトテンキーを表示させて、このソフトテンキーをユーザーが使用して数値設定項目の数値入力を行うように構成されたものが知られている（例えば特許文献１）。
【０００３】
ここで、ソフトテンキーの種類として、いずれの数値入力画面であっても画面上の同じ位置に移動操作不能に表示される第１のソフトテンキー（固定式ソフトテンキーともいう）と、ポップアップ画面により移動操作可能に表示される第２のソフトテンキー（ポップアップ式ソフトテンキーともいう）とがあるが、ポップアップ式ソフトテンキーは画面の一部が隠れてしまうため、ソフトテンキーの表示後にユーザーが入力しやすい位置に移動させることが多い。
【０００４】
一方、画像処理装置に関わる設定は関連する設定がいくつかあり、複数の画面で複数の設定を一緒に行うことが多い。このため、数値設定項目の数が多い場合、数値を入力する毎に画面を切り替えてソフトテンキーをポップアップ表示するとなると、その都度ソフトテンキーを好みの位置に移動させる操作が必要となり、煩雑である。
【０００５】
そこで、一般には、数値設定項目への数値入力のために表示されるソフトテンキーとしては固定式ソフトテンキーが採用されている。
【先行技術文献】
【特許文献】
【０００６】
【特許文献１】特許第５４９２１４２号公報
【発明の概要】
【発明が解決しようとする課題】
【０００７】
しかし、このような固定式のソフトテンキーは前述したように移動操作不能であることから、ユーザーによっては数値入力時に表示された固定式ソフトテンキーを、移動操作が可能なポップアップ式ソフトテンキーに変更したい場合がある。
【０００８】
また、固定式ソフトテンキーとポップアップ式ソフトテンキーとは表示形態に差がある場合が多い。例えば、固定式ソフトテンキーはどの数値入力画面にも対応するレイアウトで配置されるため配置スペースに制限があり、このためキーの大きさが小さくなる傾向にある。これに対しポップアップ式ソフトテンキーは、キー操作のし易さを考慮してキーの大きさはどのユーザーにも押しやすいように少し大きく設定される傾向にある。このため、指の太いユーザーや指の腹でキーを操作するユーザーにとっては、キーサイズの小さい固定式ソフトテンキーを、キーサイズの大きいポップアップ式ソフトテンキーに変更したい場合がある。
【０００９】
しかしながら、従来の画像処理装置では、数値設定項目に数値を入力するために表示されたソフトテンキーを、他のソフトテンキーに変更して表示させることはできなかった。このため、ユーザーは表示されたソフトテンキーを使用して数値入力を行わざるを得ず、操作性が良くないという問題があった。
【００１０】
この発明は、このような技術的背景に鑑みてなされたものであって、画面上の数値設定項目に数値を入力する場合に、ユーザーが固定式ソフトテンキーあるいはポップアップ式ソフトテンキーのうち好みのソフトテンキーを使用することができ操作性を改善した画像処理装置を提供し、さらには同装置におけるソフトテンキーの表示制御方法及び表示制御プログラムを提供することを目的とする。
【課題を解決するための手段】
【００１１】
上記課題は、以下の手段によって解決される。
（１）表示手段と、前記表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御手段と、前記表示制御手段により前記表示手段に表示されたソフトテンキーにおけるキーが押下されたときは、該押下されたキーに応じた値を前記数値設定項目に入力する入力手段と、を備え、前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、前記表示切替キーが押下されたときには、前記表示制御手段は、表示中の一方のソフトテンキーから他方のソフトテンキーへ表示を切り替え、前記入力手段は、表示切り替え後のソフトテンキーにおけるキーが押下されたときは、該押下されたキーに応じた値を前記数値設定項目に入力することを特徴とする画像処理装置。
（２）前記表示制御手段は、前記第１のソフトテンキーから前記第２のソフトテンキーへ表示を切り替えるときは、前記第１のソフトテンキーの基準位置に、前記第２のソフトテンキーの基準位置が一致するように、前記第２のソフトテンキーを表示する前項１に記載の画像処理装置。
（３）表示手段と、前記表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御手段と、前記表示制御手段により前記表示手段に表示されたソフトテンキーにおけるキーが押下されたときは、該押下されたキーに応じた値を前記数値設定項目に入力する入力手段と、を備え、前記表示切替キーが押下されたときには、前記表示制御手段は、表示中の一方のソフトテンキーに加えて他方のソフトテンキーも同一の画面に表示させ、前記入力手段は、画面に表示されたいずれのソフトテンキーであっても、キーが押下されたときは該押下されたキーに応じた値を前記数値設定項目に入力することを特徴とする画像処理装置。
（４）前記第１のソフトテンキーよりも前記第２のソフトテンキーの方が、各キーの大きさが大きく設定されており、前記数値入力画面が表示されたときは前記第１のソフトテンキーが最初に表示される設定となっている前項３に記載の画像処理装置。
（５）自装置のモードを管理者のみが操作可能な管理者モードに移行させる管理者モード移行手段を備え、前記管理者モード移行手段により管理者モードに移行しているときに、前記表示制御手段は前記表示切替キーを前記表示手段に表示させる前項１〜４のいずれかに記載の画像処理装置。
（６）前記ソフトテンキーによる入力が可能な前記数値入力画面の数値設定項目の数が所定数よりも多い場合に、前記表示制御手段は前記表示切替キーを前記表示手段に表示させる前項１〜５のいずれかに記載の画像処理装置。
（７）表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を備え、前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、前記表示切替キーが押下されたときには、前記表示制御ステップでは、表示中の一方のソフトテンキーから他方のソフトテンキーへ表示を切り替え、前記入力ステップでは、表示切り替え後のソフトテンキーにおけるキーが押下されたときは、該押下されたキーに応じた値を前記数値設定項目に入力することを特徴とする画像処理装置におけるソフトテンキーの表示制御方法。
（８）表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を備え、前記表示切替キーが押下されたときには、前記表示制御ステップでは、表示中の一方のソフトテンキーに加えて他方のソフトテンキーも同一の画面に表示させ、前記入力ステップでは、画面に表示されたいずれのソフトテンキーであっても、キーが押下されたときは該押下されたキーに応じた値を前記数値設定項目に入力することを特徴とする画像処理装置におけるソフトテンキーの表示制御方法。
（９）表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーから他方のソフトテンキーへ表示を切り替えるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を画像処理装置のコンピュータに実行させ、前記第１のソフトテンキーよりも前記第２のソフトテンキーの方が、各キーの大きさが大きく設定されるとともに、前記数値入力画面が表示されたときは前記第１のソフトテンキーが最初に表示される設定となっており、前記表示切替キーが押下されたときには、前記表示制御ステップでは、表示中の一方のソフトテンキーから他方のソフトテンキーへ表示を切り替え、前記入力ステップでは、表示切り替え後のソフトテンキーにおけるキーが押下されたときは、該押下されたキーに応じた値を前記数値設定項目に入力する処理を前記コンピュータに実行させるためのソフトテンキーの表示制御プログラム。
（１０）表示手段に、数値設定項目を有する数値入力画面を表示させると共に、前記数値設定項目に数値を入力するためのソフトテンキーであって、どの数値入力画面であっても画面上の同じ位置に移動操作不能に表示される第１のソフトテンキーと、ポップアップ画面により表示される移動操作可能な第２のソフトテンキーのいずれかを表示させ、さらに表示中の一方のソフトテンキーに加えて他方のソフトテンキーも同一の画面に表示させるための表示切替キーを表示させる表示制御ステップと、前記表示制御ステップにより前記表示手段に表示されたソフトテンキーにおけるキーが押下されたときは、該押下されたキーに応じた値を前記数値設定項目に入力する入力ステップと、を画像処理装置のコンピュータに実行させ、前記表示切替キーが押下されたときには、前記表示制御ステップでは、表示中の一方のソフトテンキーに加えて他方のソフトテンキーも同一の画面に表示させ、前記入力ステップでは、画面に表示されたいずれのソフトテンキーであっても、キーが押下されたときは該押下されたキーに応じた値を前記数値設定項目に入力する処理を前記コンピュータに実行させるためのソフトテンキーの表示制御プログラム。
【発明の効果】
【００１２】
前項（１）に記載の発明によれば、表示手段に、数値設定項目を有する数値入力画面とともに、第１のソフトテンキーと第２のソフトテンキーのいずれかが表示され、さらに表示された一方のソフトテンキーから他方のソフトテンキーへ表示を切り替えるための表示切替キーが表示されるから、ユーザーは表示切替キーを押下することで、表示中の一方のソフトテンキーから他方のソフトテンキーへ表示を切り替えることができる。そして、切り替え後のソフトテンキーにおけるキーが押下されたときは、押下されたキーに応じた値が数値設定項目に入力される。従って、ユーザーは好みに応じて第１のソフトテンキーまたは第２のソフトテンキーを使用することができるから、操作がしやすくなり操作性を改善することができる。また、数値入力画面が表示されたときは各キーの大きさが相対的に小さい第１のソフトテンキーが最初に表示されるから、キーの大きさが大きいテンキーを使用したいユーザーは、表示切替キーを押下することでキーの大きさが大きい第２のソフトテンキーを表示させて使用することができる。
【００１３】
前項（２）に記載の発明によれば、第１のソフトテンキーから第２のソフトテンキーへ表示を切り替えるときは、第１のソフトテンキーの基準位置に、第２のソフトテンキーの基準位置が一致するように、第２のソフトテンキーが表示されるから、第２のソフトテンキーにより数値入力画面の一部が隠れるのを極力防止でき、第１のソフトテンキーとほぼ同じ位置に第２のソフトテンキーを表示させることができる。従って、ユーザーは第２のソフトテンキーを違和感なく使用することができる。
【００１４】
前項（３）に記載の発明によれば、表示手段に、数値設定項目を有する数値入力画面とともに、第１のソフトテンキーと第２のソフトテンキーのいずれかが表示され、さらに表示中の一方のソフトテンキーに加えて他方のソフトテンキーも同一の画面に表示させるための表示切替キーが表示されるから、ユーザーは表示切替キーを押下することで、両方のソフトテンキーを同一の画面に表示させることができる。そして、表示されたいずれのソフトテンキーであっても、キーが押下されたときは押下されたキーに応じた値が数値設定項目に入力される。従って、ユーザーは好みに応じて第１のソフトテンキーまたは第２のソフトテンキーを使用することができるから、操作がしやすくなり操作性を改善することができる。
【００１５】
前項（４）に記載の発明によれば、数値入力画面が表示されたときは各キーの大きさが相対的に小さい第１のソフトテンキーが最初に表示されるから、キーの大きさが大きいテンキーを使用したいユーザーは、表示切替キーを押下することでキーの大きさが大きい第２のソフトテンキーを表示させて使用することができる。
【００１６】
前項（５）に記載の発明によれば、管理者ユーザーが管理者モードにおいて画像処理装置に関わる設定等を行うときに、好みに応じ第１のソフトテンキーまたは第２のソフトテンキーを使用することができる。
【００１７】
前項（６）に記載の発明によれば、ソフトテンキーによる入力が可能な数値設定項目の数が所定数よりも多い場合に、ユーザーは好みに応じて第１のソフトテンキーまたは第２のソフトテンキーを使用することができ、各数値設定項目への数値入力作業が楽になる。
【００１８】
前項（７）及び（８）に記載の発明によれば、数値入力画面における数値設定項目に数値を入力する際に、ユーザーは好みに応じて第１のソフトテンキーまたは第２のソフトテンキーを使用することができるから、操作がしやすくなり操作性を改善することができる。
【００１９】
前項（９）及び（１０）に記載の発明によれば、数値入力画面における数値設定項目に数値を入力する際に、ユーザーが好みに応じて第１のソフトテンキーまたは第２のソフトテンキーを使用することができる処理を、画像処理装置のコンピュータに実行させることができる。
【図面の簡単な説明】
【００２０】
【図１】この発明の一実施形態に係る画像処理装置の外観を示す斜視図である。
【図２】操作パネル部の電気的な構成を示すブロック図である。
【図３】操作パネル部の表示部に表示された数値入力画面を示す図である。
【図４】第１のソフトテンキーに代えて第２のソフトテンキーに切り替え表示した画面を示す図である。
【図５】ソフトテンキーの表示切替処理を示すフローチャートである。
【図６】この発明の他の実施形態を示すもので、第１のソフトテンキーに代えて第２のソフトテンキーを表示した場合の画面を示す図である。
【図７】図６で説明した実施形態におけるソフトテンキーの表示切替処理を示すフローチャートである。
【図８】この発明のさらに他の実施形態を示すもので、ソフトテンキーの表示切替キーを押下したときの画面を示す図である。
【図９】図８で説明した実施形態におけるソフトテンキーの表示切替処理を示すフローチャートである。
【図１０】この発明のさらに他の実施形態を示すもので、表示切替キーの表示処理を示すフローチャートである。
【図１１】この発明のさらに他の実施形態を示すもので、表示切替キーの表示処理を示すフローチャートである。
【発明を実施するための形態】
【００２１】
以下、この発明の実施形態を図面に基づいて説明する。
【００２２】
図１はこの発明の一実施形態に係る画像処理装置１の外観を示す斜視図である。この実施形態では、画像処理装置１として、前述した多機能デジタル画像形成装置であるＭＦＰが用いられている。以下の説明では、画像処理装置をＭＦＰともいう。
【００２３】
ＭＦＰ１は、正面上部に操作パネル部２を備えている。この操作パネル部２からユーザーがコピー開始の指示やコピー枚数の設定、プリントモードの指定等のキー入力を行う。この操作パネル部２には、液晶表示板（ＬＣＤ）等で構成された表示部２６０が設けられ、ユーザーにより設定されたコピーモードや各種のメッセージ等を表示するようになっている。
【００２４】
図２はＭＦＰ１の操作パネル部２の電気的な構成を示すブロック図である。
【００２５】
図２に示すように、操作パネル部２は、パネルＣＰＵ２１０、ＲＯＭ２２０、ＲＡＭ２３０、ＬＣＤ制御部２４０、ＶＲＡＭ２５０、表示部２６０、ハードキー操作部２７０及び入出力制御部２８０を備えている。
【００２６】
パネルＣＰＵ２１０は、ＭＦＰ本体システム制御部１００と通信を行いながら、操作パネル部２の全体制御を行うものである。なお、ＭＦＰ本体システム制御部１００はＭＦＰ１の全体を統括制御するものであり、メインＣＰＵ（図示せず）を備え、操作パネル部２を介して行われたユーザー操作に基づいて、コピー機能、プリント機能、ファクシミリ機能、スキャン機能等の各種機能を実行する。
【００２７】
ＲＯＭ２２０は、パネルＣＰＵ２１０が実行する動作プログラムや、表示部１６０に表示される画面データを含む表示画像データ等を記憶している。また、ＲＡＭ２３０は、パネルＣＰＵ２１０がＲＯＭ２２０に格納されている動作プログラムに従って動作する際の作業領域を提供する。
【００２８】
ＬＣＤ制御部２４０は、ＶＲＡＭ２５０のリードライト制御を行い、表示部２６０の表示制御を行っている。具体的には、ＲＯＭ２２０に記憶された画像データを、パネルＣＰＵ２１０の指示に基づいてＶＲＡＭ２５０に記憶させた後、それを読み出して表示部２６０に出力し表示させる。また、管理者ユーザー等がＭＦＰ１に関わる設定やその他の設定を行う場合に、数値設定項目を有する数値入力画面を表示部２６０に表示したり、数値設定項目に数値を入力するためのソフトテンキーを表示させたりするが、これらの制御については後述する。
【００２９】
表示部２６０は、ＬＣＤタッチパネルからなる表示装置であり、各種の画面やメッセージ等を表示する。特にこの実施形態では上述した数値入力画面を表示したり、ユーザーがログイン時にユーザー名やパスワード等の文字を入力するための文字入力エリアや、検索のための文字入力エリア等を表示する。
【００３０】
ハードキー操作部２７０は、スタートキー、テンキー、パネルリセットキー等で構成される複数のハードキーや、ＭＦＰ１の状態を示すＬＥＤや、ハードキーまたは表示部２６０で入出力が行われた旨をユーザーに通知するためのブザー等から構成されている。
【００３１】
入出力制御部２８０は、表示部２６０をユーザーが直接タッチしたときに、タッチされたことを検出してそのタッチ位置を判断し、画面に表示された機能項目のうちどの機能項目が選択されたか等をパネルＣＰＵ２１０に通知し、機能設定等の入出力制御を行う。また、入出力制御部２８０はハードキー操作部２７０を制御し、必要に応じてパネルＣＰＵ２１０を介してＭＦＰ本体システム制御部１００との通信を行う。
【００３２】
なお、ＭＦＰ１においては、ハードキー操作部２７０内のスタートキーが押下されると、その旨が入出力制御部２８０、パネルＣＰＵ２１０を介してＭＦＰ本体システム制御部１００に送信され、一連の複写動作が開始される。
【００３３】
図３は、操作パネル部２の表示部２６０に表示された数値入力画面Ｄ１を示す図である。この画面Ｄ１は、登録名設定項目等と共に数値設定項目１６１としてのファクシミリ番号設定項目を有している。なお、数値設定項目１６１は数値を入力設定する欄であり、ファクシミリ番号の設定項目のほか、暗証番号の設定項目、ＩＰアドレスの設定項目等、その種類は問わない。
【００３４】
ユーザーがファクシミリ番号を入力するためにファクシミリ番号設定項目である数値設定項目２６１を選択すると、画面の左部領域にソフトテンキー３００が表示される。なお、ソフトテンキーはソフトウェアによって表示部２６０の画面上に表示されるテンキーである。このソフトテンキー３００は、どの数値入力画面であっても画面上の同じ左部の位置に表示される第１のソフトテンキー（以下の説明では固定式ソフトテンキーともいう）であり、ユーザー操作によって移動させることはできない。なお、固定式ソフトテンキー３００の表示位置は、どの数値入力画面であっても画面上の同じ位置であれば良く、画面の左部領域に限定されることはない。ユーザーはこの固定式ソフトテンキー３００の各キーを用いて、数値設定項目２６１にファクシミリ番号を入力することができる。
【００３５】
また、画面左部領域の固定式ソフトテンキー３００の上方には、「しおり表示」キー２６４と「テンキー」キー２６５が表示されている。「しおり表示」キー２６４は固定式ソフトテンキー３００に代えてしおりを表示させるための操作キーであり、「テンキー」キー２６５はしおりの表示から元の固定式ソフトテンキー３００に切り替えるための操作キーである。
【００３６】
さらに、画面左部領域の固定式ソフトテンキー３００の下方には、「ポップアップ」キー２６６が表示されている。この「ポップアップ」キー２６６は、固定式ソフトテンキー３００から切り替えて、図４に示すように第２のソフトテンキー（以下の説明ではポップアップ式ソフトテンキーともいう）４００を表示するための表示切替キーである。ポップアップ式ソフトテンキー４００はポップアップ画面により表示され、表示位置が固定されることはなく、ユーザーはポップアップ式ソフトテンキー４００の例えば上端部にタッチし所望の位置までスライド操作することにより、任意の位置に移動させることができる。
【００３７】
この実施形態では、ポップアップ式ソフトテンキー４００の表示領域は固定式ソフトテンキー３００に較べてレイアウト上配置スペースの制約が少ないため、ポップアップ式ソフトテンキー４００の各キーの大きさは固定式ソフトテンキー３００の各キーの大きさよりも大きく設定されており、固定式ソフトテンキー３００に較べて指でのタッチ操作がしやすくなっている。このため、ポップアップ式ソフトテンキー４００を好むユーザーは、「ポップアップ」キー２６６を押すことで、デフォルトで表示された固定式ソフトテンキー３００に代えてポップアップ式ソフトテンキー４００を表示させることができる。
【００３８】
また、ポップアップ式ソフトテンキー４００の下部領域には、「固定」キー４０１と「閉じる」キー４０２が設けられている。「固定」キー４０１は、ポップアップ式ソフトテンキー４００の表示から図３に示した固定式ソフトテンキー３００の表示に切り替えて元に戻すための表示切替キーであり、ポップアップ式ソフトテンキー４００を表示後、再度固定式ソフトテンキー３００に戻したいユーザーはこの「固定」キー４０１を押下すれば良い。「閉じる」キー４０２はポップアップ式ソフトテンキー４００の表示を閉じるためのものであり、「閉じる」キー４０２が押下されるとポップアップ式ソフトテンキー４００を含めソフトテンキーの表示は消失する。
【００３９】
ユーザーが画面に表示されている固定式ソフトテンキー３００またはポップアップ式ソフトテンキー４００の各キーを押下すると、押下されたキーに応じた値が数値設定項目２６１に入力される。
【００４０】
このように、この実施形態では、表示部２６０に表示された数値入力画面Ｄ１とともに、数値設定項目２６１に数値を入力するための固定式ソフトテンキー３００が表示され、さらに表示された固定式ソフトテンキー３００からポップアップ式ソフトテンキー４００へ表示を切り替えるための表示切替キーである「ポップアップ」キー２６６が表示されるから、ユーザーは「ポップアップ」キー２６６を押下することで、表示中の固定式ソフトテンキー３００からポップアップ式ソフトテンキー４００へ表示を切り替えることができる。
【００４１】
また、別の表示切替キーである「固定」キー４０１を押下することで、ポップアップ式ソフトテンキー４００から固定式ソフトテンキー３００に再度表示を切り替えることができる。そして、切り替え後のポップアップ式ソフトテンキー４００または固定式ソフトテンキー３００におけるキーが押下されたときは、押下されたキーに応じた値が数値設定項目２６１に入力される。従って、ユーザーは好みに応じて固定式ソフトテンキー３００またはポップアップ式ソフトテンキー４００を使用することができるから、操作がしやすくなり操作性を改善することができる。
【００４２】
図５は、ソフトテンキーの表示切替処理を示すフローチャートである。なお、図５以降のフローチャートで示される処理は、ＭＦＰ１のパネルＣＰＵ２１０がＲＯＭ２２０等の記録媒体に格納された動作プログラムに従って動作することにより実行される。
【００４３】
ステップＳ０１で、数値入力画面Ｄ１におけるキーの押下を検出すると、ステップＳ０２で、押下されたキーはソフトテンキー表示切替キーである「ポップアップ」キー２６６または「固定」キー４０１かを判断する。
【００４４】
ソフトテンキー表示切替キーであれば（ステップＳ０２でＹＥＳ）、ステップＳ０３で、現在表示されているソフトテンキーは固定式ソフトテンキー３００か否かを判定する。固定式ソフトテンキー３００であれば（ステップＳ０３でＹＥＳ）、ステップＳ０４でポップアップ式ソフトテンキー４００を切替表示して処理を終了する。固定式ソフトテンキー３００でなければ（ステップＳ０３でＮＯ）、ステップＳ０５で固定式ソフトテンキー３００を切替表示して処理を終了する。
【００４５】
ステップＳ０２で、ソフトテンキー表示切替キーでない場合は（ステップＳ０２でＮＯ）、ステップＳ０６で押下されたキーに応じた処理を行う。
【００４６】
図６はこの発明の他の実施形態を示すもので、固定式ソフトテンキー３００から切り替えてポップアップ式ソフトテンキー４００を表示した場合の画面を示す図である。この実施形態では、図３に示した数値入力画面Ｄ１において表示切替キー２６６が押下されたときに、図４に示したものと同じポップアップ式ソフトテンキー４００が、その基準位置を固定式ソフトテンキー３００の基準位置と一致させた状態で、切り替え表示されるようになっている。この実施形態では図６に示すように、ポップアップ式ソフトテンキー４００の数字１のキーの中心座標Ｐを基準位置とし、この座標Ｐが固定式ソフトテンキー３００の基準位置である数字１のキーの中心座標に一致するように、ポップアップ式ソフトテンキー４００を表示する。
【００４７】
このような形態で表示することにより、ポップアップソフトテンキー４００により画面の一部が隠れるのを極力防止でき、固定式ソフトテンキー３００とほぼ同じ位置にポップアップソフトテンキー４００を表示させることができ、ユーザーはポップアップ式ソフトテンキー４００を違和感なく使用することができる。
【００４８】
なお、基準位置は数値１のキーに限定されることはなく、固定式ソフトテンキー３００の表示位置に応じて適宜設定すれば良い。例えば固定式ソフトテンキー３００が画面の右端部に表示されるときは、数字３の中心軸を基準位置に設定すれば良い。
【００４９】
図７は、図６で説明した実施形態におけるソフトテンキーの表示切替処理を示すフローチャートである。
【００５０】
ステップＳ１１で、数値入力画面Ｄ１におけるキーの押下を検出すると、ステップＳ１２で、押下されたキーはソフトテンキー表示切替キーである「ポップアップ」キー２６６または「固定」キー４０１かを判断する。
【００５１】
ソフトテンキー表示切替キーであれば（ステップＳ１２でＹＥＳ）、ステップＳ１３で、現在表示されているソフトテンキーは固定式ソフトテンキー３００か否かを判定する。固定式ソフトテンキー３００であれば（ステップＳ１３でＹＥＳ）、ステップＳ１４で、ポップアップ式ソフトテンキー４００を、その基準位置である特定キーの中心座標と、固定式ソフトテンキー３００の基準位置である特定キーの中心座標とが一致する位置に表示して、処理を終了する。固定式ソフトテンキー３００でなければ（ステップＳ１３でＮＯ）、ステップＳ１５で固定式ソフトテンキー３００を表示して処理を終了する。
【００５２】
ステップＳ１２で、ソフトテンキー表示切替キーでない場合は（ステップＳ１２でＮＯ）、ステップＳ１６で、押下されたキーに応じた処理を行う。
【００５３】
図８は、この発明のさらに他の実施形態を示すもので、ソフトテンキーの表示切替キー２６６を押下したときの画面を示す図である。この実施形態では、固定式ソフトテンキー３００に加えてポップアップ式ソフトテンキー４００をも同一の画面に併せて表示する構成となっている。
【００５４】
すなわち、図３に示した数値入力画面Ｄ１において表示切替キー２６６が押下されると、図８に示すように、固定式ソフトテンキー３００の表示はそのままで、ポップアップ式ソフトテンキー４００が移動操作可能に追加表示される。従って、固定式ソフトテンキー３００とポップアップ式ソフトテンキー４００が同一画面内に表示されている。
【００５５】
ユーザーは固定式ソフトテンキー３００及びポップアップ式ソフトテンキー４００のいずれをも使用することができ、各キーを押下すると押下されたキーに応じた値が数値設定項目２６１に入力される。つまり、ユーザーは好みに応じて固定式ソフトテンキー３００またはポップアップ式ソフトテンキー４００を使用することができるから、操作性を改善することができる。また、ポップアップ式ソフトテンキー４００の表示後に固定式ソフトテンキー３００を使用したくなった場合の、固定式ソフトテンキー３００への表示切り替え操作は不要となる。
【００５６】
なお、ポップアップ式ソフトテンキー４００の下部領域には「閉じる」キー４０２が設けられている。この「閉じる」キー４０２はポップアップ式ソフトテンキー４００の表示を閉じるためのものであり、「閉じる」キー４０２が押下されるとポップアップ式ソフトテンキー４００の表示は消失し、固定式ソフトテンキー３００のみが表示された状態となる。
【００５７】
図９は、図８で説明した実施形態におけるソフトテンキーの表示切替処理を示すフローチャートである。
【００５８】
ステップＳ２１で、数値入力画面Ｄ１におけるキーの押下を検出すると、ステップＳ２２で、押下されたキーはソフトテンキー表示切替キーである「ポップアップ」キー２６６かを判断する。
【００５９】
ソフトテンキー表示切替キーであれば（ステップＳ２２でＹＥＳ）、ステップＳ２３で、現在表示されている固定式ソフトテンキー３００に加えてポップアップ式ソフトテンキー４００を表示したのち、ステップＳ２４に進む。ステップＳ２２で、ソフトテンキー表示切替キーでない場合は（ステップＳ２２でＮＯ）、ステップＳ２８で、押下されたキーに応じた処理を行う。
【００６０】
ステップＳ２４でキーの押下を検出すると、ステップＳ２５で、押下されたのは固定式ソフトテンキー３００のキーかどうかを判定する。固定式ソフトテンキー３００のキーであれば（ステップＳ２５でＹＥＳ）、ステップＳ２７に進む。固定式ソフトテンキー３００のキーでなければ（ステップＳ２５でＮＯ）、ステップＳ２６で、押下されたのはポップアップ式ソフトテンキー４００のキーかどうかを判定する。ポップアップ式ソフトテンキー４００のキーであれば（ステップＳ２６でＹＥＳ）、ステップＳ２７に進む。ポップアップ式ソフトテンキー４００のキーでなければ（ステップＳ２６でＮＯ）、ステップＳ２８に進む。
【００６１】
ステップＳ２７では、押下されたキーの入力処理を行う。つまり、数値設定項目２６１へキーに対応する数値を入力する。
【００６２】
図１０は、この発明のさらに他の実施形態を示すもので、表示切替キー２６６の表示処理を示すフローチャートである。この実施形態では、ＭＦＰ１が管理者モードに移行したときにのみ、ソフトテンキーの表示を切り替えるための表示切替キーを表示して、管理者ユーザーがソフトテンキーの表示を切り替えることが可能になっている。管理者ユーザーはＭＦＰ１に関わる設定を行うことが多いため、管理者に限ってソフトテンキーの切替表示を可能としたものである。
【００６３】
なお、ＭＦＰ１を管理者モードに移行させる方法としては、ＭＦＰ１のメニュー画面において管理者モードボタンを押す方法や管理者認証を行う方法等、任意の方法によれば良い。
【００６４】
ステップＳ３１で、画面が新しい画面に切り替わったかどうかを判定し、切り替わった場合は（ステップＳ３１でＹＥＳ）、ステップＳ３２で、新しい画面は数値設定項目を有する数値入力画面であるかどうかを判定する。数値入力画面であれば（ステップＳ３２でＹＥＳ）、ステップＳ３３に進む。ステップＳ３１で新しい画面に切り替わっていない場合（ステップＳ３１でＮＯ）、及びステップＳ３２で数値入力画面でない場合は（ステップＳ３２でＮＯ）、いずれも本処理を終了する。
【００６５】
ステップＳ３３では自装置が管理者モードか否かを判定し、管理者モードであれば（ステップＳ３３でＹＥＳ）、ステップＳ３４で、固定式ソフトテンキー３００とともに表示切替キー２６６を表示する。管理者モードでなければ（ステップＳ３３でＮＯ）、ステップＳ３５で、固定式ソフトテンキー３００のみを表示し、表示切替キー２６６は表示しない。
【００６６】
なお、表示切替キー２６６が押下された場合の処理は、図５、図７及び図９において表示切替キー２６６が押下された場合の処理と同じである。
【００６７】
図１１はこの発明のさらに他の実施形態を示すもので、表示切替キー２６６の表示処理を示すフローチャートである。この実施形態では、ソフトテンキーによる入力が可能な数値設定項目の数が予め設定された所定数よりも多い場合に、ソフトテンキーの表示を切り替えるための表示切替キー２６６を表示する構成となっている。これにより、ユーザーは好みに応じて固定式ソフトテンキー３００またはポップアップ式ソフトテンキー４００を使用することができ、複数の数値設定項目２６１への数値入力作業が楽になる。
【００６８】
ステップＳ４１で、数値入力画面に切り替わったかどうかを判定し、切り替わった場合は（ステップＳ４１でＹＥＳ）、ステップＳ４２で、数値設定項目の数が予め設定された所定数以上かどうかを判定する。数値入力画面に切り替わっていない場合（ステップＳ４１でＮＯ）、本処理を終了する。
【００６９】
ステップＳ４２で、数値設定項目の数が予め設定された所定数以上の場合は（ステップＳ４２でＹＥＳ）、ステップＳ４３で、固定式ソフトテンキー３００とともに表示切替キー２６６を表示する。所定数以上でなければ（ステップＳ４２でＮＯ）、ステップＳ４４で、固定式ソフトテンキー３００のみを表示し、表示切替キー２６６は表示しない。
【００７０】
なお、表示切替キー２６６が押下された場合の処理は、図５、図７及び図９において表示切替キー２６６が押下された場合の処理と同じである。
【００７１】
以上、本発明の実施形態を説明したが、本発明は上記実施形態に限定されることはない。例えば、数値入力画面が表示されたときに最初に固定式ソフトテンキー３００が表示されるものとしたが、ポップアップ式ソフトテンキー４００を表示切替キーと共に最初に表示させる構成であっても良い。
【符号の説明】
【００７２】
１      画像処理装置
２      操作パネル部
２１０  パネルＣＰＵ
２２０  ＲＯＭ
２３０  ＲＡＭ
２４０  ＬＣＤ制御部
２６０  表示部
２６１  数値設定項目
２６６  表示切替キー
３００  固定式ソフトテンキー
４００  可動式ソフトテンキー
４０１  表示切替キー
【図１】
0006524676.tif 000002
【図２】
0006524676.tif 000003
【図３】
0006524676.tif 000004
【図４】
0006524676.tif 000005
【図５】
0006524676.tif 000006
【図６】
0006524676.tif 000007
【図７】
0006524676.tif 000008
【図８】
0006524676.tif 000009
【図９】
0006524676.tif 000010
【図１０】
0006524676.tif 000011
【図１１】
0006524676.tif 000012